(57)【要約】【課題】  同一筺体に液晶表示装置とカメラ撮像部とが設けられる場合であっても、液晶表示装置の視野角を最適に調整できる携帯端末を提供し、液晶表示装置の視認性を向上させる。【解決手段】  携帯端末において、液晶表示装置２１と、液晶表示装置２１の視野角が拡がる方向で液晶表示装置２１を回転自在に筺体２７に保持する回転機構２５とを備える。また、携帯端末は、液晶表示装置と、カメラ撮像部と、液晶表示装置の複数の駆動電圧値を記憶する記憶部と、スイッチ操作を行う操作部とを備え、操作部によるスイッチ操作に応じて複数の駆動電圧値から一つを選択する制御部を設けたものであってもよい。【選択図】図１
2006165668.tif 000002
【特許請求の範囲】
【請求項１】
液晶表示装置と、該液晶表示装置の視野角が拡がる方向で該液晶表示装置を回転自在に筺体に保持する回転機構とを具備したことを特徴とする携帯端末。
【請求項２】
液晶表示装置と、カメラ撮像部と、前記液晶表示装置の複数の駆動電圧値を記憶する記憶部と、スイッチ操作を行う操作部とを備え、
前記操作部によるスイッチ操作に応じて前記複数の駆動電圧値から一つを選択する制御部を具備したことを特徴とする携帯端末。
【請求項３】
液晶表示装置と、該液晶表示装置の視野角が拡がる方向で該液晶表示装置を回転自在に筺体に保持する回転機構と、前記液晶表示装置の複数の駆動電圧値を記憶する記憶部と、前記液晶表示装置の回転角度を検出する角度センサとを備え、
前記角度センサの検出値に応じて前記複数の駆動電圧値から一つを選択する制御部を具備したことを特徴とする携帯端末。
【発明の詳細な説明】
【技術分野】
【０００１】
本発明は、ＴＮ（twisted nematic）液晶などの液晶表示装置を備えた携帯端末に関し、特に、液晶表示装置の視野角（表示画像が鮮明に知覚できる範囲）を最適化する改良技術に関する。
【背景技術】
【０００２】
液晶表示装置を備えた携帯端末には、例えば携帯電話機、ＰＤＡ、無線機、モバイル型のＰＣ、ノート型ＰＣなどがある。液晶表示装置に用いられる液晶表示装置は、導電性透明膜を形成した一対の基板間に、配向した液晶を入れて封止し、これを直交した偏光板で挟んだ構造を有する。
液晶表示装置による表示は、導電性透明膜に電圧を印加することで、液晶分子を基板に対して垂直に配向し、バックライトからの光の透過率を変化させることで行う。
【０００３】
図８に示すＴＮ液晶などの液晶表示装置１の上下視野角範囲θ１、左右視野角範囲θ２は駆動電圧により決定される。上下視野角範囲（θ１＝θａ＋θｂ）は、例えば、上側０°≦θａ≦２０°、下側０°≦θｂ≦７０°となる。
また、通常、携帯電話機の液晶表示装置１は表示画面１ａに対する法線３方向の視線５に対し、視認性が最適になるように駆動電圧が選ばれている。
【０００４】
ところで、図９（ａ）に示すストレート型の携帯電話機９Ａや図９（ｂ）に示す折りたたみ型の携帯電話機９Ｂは、図９（ｃ）に示す回転型の携帯電話機９Ｃと異なり、液晶表示装置１とカメラ撮像部とが同じ筐体に固定されて各々が独立して稼動できる構造となっていない。
【０００５】
このため、図８に示す視線方向７のように、ユーザーが液晶表示装置１の視野角θ１またはθ２の範囲外から表示画面１ａを見ると、表示が白く潰れたり、黒く潰れたりする。
よって、従来では、ユーザーが、液晶表示装置１の法線３方向を視線方向７に近づけるように携帯電話機器の持ち方を調整して対応していた。
【０００６】
【特許文献１】特開２０００−２２１８９６号公報
【特許文献２】特公平７−３４５６５号公報
【発明の開示】
【発明が解決しようとする課題】
【０００７】
しかしながら、ユーザーの携帯電話機の持ち方により、液晶表示装置の視認性はばらつき、常に最適な視認性を保持し続けることは困難となる。例えば、図９（ａ）に示したストレート型や図９（ｂ）に示した折りたたみ型において、ユーザーが持ち方を調整しない時は視野角範囲より外から見ることが多いので表示が見難くなる。
【０００８】
また、液晶表示装置を携帯電話機に付属するカメラ機能のファインダーとして使用する場合、液晶表示装置とカメラ撮影機能が同一の筐体に固定されていると、やはり表示が見にくい。
一例としては、ユーザーが腕を伸ばし、折りたたみ型の一方の筺体に設けられた液晶表示装置を視認しながら、その反対面のカメラ撮像部で遠景を撮影する時である。
【０００９】
このような状況では、筺体を上下させながら、かつ液晶表示装置の傾斜角度を可変させて最適姿勢を探し出さなければならず、液晶表示装置の持ち方の調整がし難く、表示が見え難いままカメラ撮像部を使用することになった。
これは、撮影画像の構図によって、カメラの高さと筺体の傾斜角度が決定されてしまうため、筺体と一体となった液晶表示装置の視野角度範囲から、視線方向が外れるためであった。
【００１０】
本発明は上記状況に鑑みてなされたもので、同一筺体に液晶表示装置とカメラ撮像部とが設けられる場合であっても、液晶表示装置の視野角を最適に調整できる携帯端末を提供し、もって、液晶表示装置の視認性向上を図ることを目的とする。
【課題を解決するための手段】
【００１１】
上記目的を達成するための本発明に係る携帯端末は、液晶表示装置と、該液晶表示装置の視野角が拡がる方向で該液晶表示装置を回転自在に筺体に保持する回転機構とを具備したことを特徴とする。
【００１２】
この携帯端末では、ストレート型や折りたたみ型のように、同一筺体に液晶表示装置とカメラ撮像部とが設けられる場合であっても、液晶表示装置が回転機構を介して筺体に対して相対的に回転可能となり、被写体とカメラ撮像部との相対位置が決定されている場合であっても、液晶表示装置のみを回転傾斜させて、視野角方向の調整が可能となる。
【００１３】
また、本発明に係る携帯端末は、液晶表示装置と、カメラ撮像部と、前記液晶表示装置の複数の駆動電圧値を記憶する記憶部と、スイッチ操作を行う操作部とを備え、前記操作部によるスイッチ操作に応じて前記複数の駆動電圧値から一つを選択する制御部を具備したことを特徴とする。
【００１４】
この携帯端末では、被写体とカメラ撮像部との相対位置が決定され、液晶表示装置に対する視線方向が液晶表示装置の視野角から大きく外れる場合であっても、操作部をスイッチ操作することにより、記憶部に記憶された複数の駆動電圧値から液晶表示装置の視野角を最適に調整する駆動電圧値が選択され、ユーザーが容易に見やすい表示品位を選択できる。
【００１５】
更に、本発明に係る携帯端末は、液晶表示装置と、該液晶表示装置の視野角が拡がる方向で該液晶表示装置を回転自在に筺体に保持する回転機構と、前記液晶表示装置の複数の駆動電圧値を記憶する記憶部と、前記液晶表示装置の回転角度を検出する角度センサとを備え、前記角度センサの検出値に応じて前記複数の駆動電圧値から一つを選択する制御部を具備したことを特徴とする。
【００１６】
この携帯端末では、液晶表示装置が回転機構を介して回転傾斜されると、その傾斜角度が角度センサによって検出され、制御部がこの検出値に応じた最適な駆動電圧値で液晶表示装置を駆動制御し、その傾斜角度に最適な視野角で液晶表示装置が表示可能となる。
【発明の効果】
【００１７】
本発明に係る携帯端末によれば、液晶表示装置と、液晶表示装置の視野角が拡がる方向でこの液晶表示装置を回転自在に筺体に保持する回転機構とを具備したので、ストレート型や折りたたみ型のように、同一筺体に液晶表示装置とカメラ撮像部とが設けられる場合であっても、液晶表示装置が回転機構を介して筺体に対して相対的に回転可能となる。
これにより、被写体とカメラ撮像部との相対位置が決定されている場合であっても、液晶表示装置のみを回転傾斜させて、液晶表示装置を見やすくできる。この結果、視野角の容易な調整が可能となって、液晶表示装置の視認性を向上させることができる。
【００１８】
また、本発明に係る携帯端末によれば、液晶表示装置と、カメラ撮像部と、液晶表示装置の複数の駆動電圧値を記憶する記憶部と、スイッチ操作を行う操作部とを備え、操作部によるスイッチ操作に応じて複数の駆動電圧値から一つを選択する制御部を具備したので、被写体とカメラ撮像部との相対位置が決定され、液晶表示装置に対する視線方向が液晶表示装置の視野角から大きく外れる場合であっても、操作部をスイッチ操作することにより、記憶部に記憶された複数の駆動電圧値から液晶表示装置の視野角を最適に調整する駆動電圧値を選択することができ、視野角を容易な操作で最適に調整して、液晶表示装置の視認性を向上させることができる。
【００１９】
さらに、本発明に係る携帯端末によれば、液晶表示装置と、液晶表示装置の視野角が拡がる方向でこの液晶表示装置を回転自在に筺体に保持する回転機構と、液晶表示装置の複数の駆動電圧値を記憶する記憶部と、液晶表示装置の回転角度を検出する角度センサとを備え、角度センサの検出値に応じて複数の駆動電圧値から一つを選択する制御部を具備したので、液晶表示装置が回転機構を介して回転傾斜されると、その傾斜角度が角度センサによって検出され、制御部がこの検出値に応じた最適な駆動電圧値で液晶表示装置を駆動制御し、その傾斜角度における最適な視野角で液晶表示装置を表示させることができる。この結果、ユーザーの携帯電話機の持ち方が変化しても、常に最適な視認性を保持し続けることができる。
【発明を実施するための最良の形態】
【００２０】
以下、本発明に係る携帯端末の好適な実施形態を図面を参照して説明する。
図１は第１実施形態による携帯端末の回転機構例を（ａ）（ｂ）に表した正面図である。なお、図８に示した部材・部位と同一の部材・部位には同一の符号を付し、重複する説明は省略する。
【００２１】
第１実施形態では、携帯端末が携帯電話機である場合を例に説明する。なお、本発明に係る携帯端末は、この他、ＰＤＡ、無線機、モバイル型のＰＣ、ノート型ＰＣなどであってもよい。
【００２２】
第１実施形態による携帯電話機１００は、筺体が上筐体と下筐体とからなり、これら上筐体及び下筐体とが、双方に設けられたヒンジで構成されるヒンジ部によって二つ折りに折り畳み自在となっている。
上筐体の裏面（二つ折り時に重ね合わされる面）には液晶表示装置が設けられるとともに、受話部が設けられる。下筐体の裏面にはスイッチ操作を行う操作部が設けられるとともに送話部が設けられる。この他、筺体には図示しないアンテナ、カメラ撮像部、バイブレータ、各種回路部を備えた回路基板などが設けられている。
なお、第１実施形態では、カメラ撮像部が上筺体の表面に設けられている場合を例に説明する。
【００２３】
液晶表示装置は、一定の視野角範囲が所望の方向に変位することで、その結果視野角が拡がる方向（以下、単に「視野角が拡がる方向」と称す。）で回転機構を介して筺体に保持される。回転機構は、液晶表示装置を上下、または上下左右に回転させる機構とすることができ、例えば図１（ａ）、または図１（ｂ）に示すものが考えられる。
【００２４】
図１（ａ）に示す液晶表示装置２１は、ホルダ２３に固定されている。ホルダ２３は、回転機構２５を介して、筐体２７に回転自在に支持されている。
また、図１（ｂ）に示す液晶表示装置２１は、ホルダ２９に固定されている。ホルダ２９は、回転機構３１を介して、ホルダ２３に接続されている。ホルダ２３は、回転機構２５を介して、筐体２７に接続されている。
【００２５】
図２は図１（ａ）に示した回転機構２５の各部分を（ａ）（ｂ）（ｃ）（ｄ）で表した説明図である。
図２（ａ）に示すように、液晶表示装置２１はホルダ２３に固定されている。ホルダ２３は下側の厚みを増すことで重心を液晶表示装置２１の下部側に移動させている。ホルダ２３の左右両側面には上下回転ホイール３３が固設されている。一方、筺体２７の表示装置収容開口の左右には図２（ｂ）に示す上下回転ホイール３５が固設されている。
上下回転ホイール３５には上下回転ホイール３３の支持穴３７に挿入される回転軸３９が突設される。
【００２６】
上下回転ホイール３３は、回転軸３９を介して、筐体２７側の上下回転ホイール３５と組み合うようになっている。また、図２（ａ）に示すように、上下回転ホイール３３の側面には扇状の突起４１が設けられている。一方、図２（ｃ）に示すように、上下回転ホイール３５のホイール接触面には半円弧状の突起４３が設けられている。
【００２７】
液晶表示装置２１側の上下回転ホイール３３と、筐体２７側の上下回転ホイール３５とは、嵌合されることにより突起４１と突起４３とが図２（ｄ）に示す円周方向の位置関係で配置されている。
したがって、液晶表示装置２１は、重力によって回転軸３９を中心として一定方向に回転され、筐体２７に対して角度θ３で傾斜されるようになっている。
【００２８】
図３は図１（ａ）に示した液晶表示装置が回転角θ３（液晶表示装置の視野角を上２０°、下７０°とした場合）で傾いた時の説明図である。
この携帯電話機１００では、所定角度で傾斜された上筐体２７に対し、回転機構２５を介してホルダ２３がθ３の回転角度で傾斜され上下回転が止まる。この回転角度θ３を調整することで、液晶表示装置２１の法線方向４５が視線方向４７に近づけられることになる。これにより視認性が改善される。
なお、図３中、４９は回転前の液晶表示装置２１の表示面、５１はその法線を表す。
【００２９】
したがって、第１実施形態による携帯電話機１００によれば、液晶表示装置２１と、液晶表示装置２１の視野角が拡がる方向でこの液晶表示装置２１を回転自在に筐体２７に保持する回転機構２５とを具備したので、ストレート型や折りたたみ型のように、同一筐体２７に液晶表示装置２１とカメラ撮像部とが設けられる場合であっても、液晶表示装置２１が回転機構２５を介して筺体２７に対して相対的に回転可能となる。
これにより、被写体とカメラ撮像部との相対位置が決定されている場合であっても、液晶表示装置２７のみを回転傾斜させて、液晶表示装置２７を見やすくできる。この結果、視野角の容易な調整が可能となって、液晶表示装置２７の視認性を向上させることができる。
【００３０】
次に、本発明に係る携帯端末の第２実施形態を説明する。
図４は携帯電話機の操作部で液晶表示装置の駆動電圧を制御する回路を表したブロック図である。
【００３１】
第２実施形態による携帯電話機２００は、液晶表示装置２１と、カメラ撮像部と、液晶表示装置２１の複数の駆動電圧値を記憶する記憶部（メモリ）５１と、スイッチ操作を行う操作部（入力キー）５３と、入力キー５３によるスイッチ操作に応じて複数の駆動電圧値から一つを選択する制御部（ＣＰＵ）５５とを基本構成として備えている。
【００３２】
ＣＰＵ５５は、メモリ５１や携帯電話機２００の入力キー５３と接続されている。
携帯電話機２００の入力キー５３を押すと、ＲＧＢ及び制御信号５７がＣＰＵ５５に通知される。メモリ５１の駆動電圧値に関するレジスタは複数あり、各々に異なる駆動電圧値が設定されている。携帯電話機２００の入力キー５３を押すごとに（または押し続けることにより）、ＣＰＵ５５はメモリ５１の駆動電圧値に関するレジスタを順にアクセスする。つまり、一定の視野角範囲が所望の方向に変位可能となっている。
なお、レジスタへのＣＰＵ５５によるアクセスは、ループするようになっている。
【００３３】
ＣＰＵ５５は、メモリ５１の駆動電圧値に関するレジスタにアクセスした後、ドライバ５９に駆動電圧値６１を書き込む。ドライバ５９は設定された駆動電圧値６１に基づく画像信号６３で液晶表示装置２１を駆動する。
以上の動作により、ユーザーは、入力キー５３からの設定により、視野角範囲を所望の視線方向へ変位できるようになっている。
【００３４】
図５は液晶表示装置を携帯電話機に付属するカメラ撮像部のファインダーとして使用する場合のユーザーの姿勢を表す説明図である。
携帯電話機２００では、液晶表示装置を、付属するカメラ撮像部のファインダーとして使用し、ユーザーが腕を伸ばして遠景を撮影するという場合がある。この時、ストレート型（ａ）や、折りたたみ型（ｂ）のように携帯電話機の筐体に液晶表示装置とカメラ撮像部とが固定されている場合、液晶表示装置の方向調整がし難く、表示が見難くなる。
【００３５】
第２実施形態による携帯電話機２００によれば、被写体６５とカメラ撮像部との相対位置が決定され、液晶表示装置２１に対する視線方向６７が液晶表示装置２１の視野角から大きく外れる場合であっても、入力キー５３をスイッチ操作することにより、メモリ５１に記憶された複数の駆動電圧値６１から液晶表示装置２１の視野角を最適に調整する駆動電圧値６１を選択することができ、視野角を容易な操作で最適に調整して、液晶表示装置２１の視認性を向上させることができる。
なお、図中、６９はカメラ撮像部による撮影方向を表す。
【００３６】
次に、本発明に係る携帯端末の第３実施形態を説明する。
図６は角度センサーからの情報に基づき液晶表示装置の駆動電圧を制御する回路を表したブロック図である。
第３実施形態による携帯電話機３００は、液晶表示装置２１と、この液晶表示装置２１の視野角が拡がる方向で液晶表示装置２１を回転自在に筐体２７に保持する回転機構２５と、液晶表示装置２１の複数の駆動電圧値６１を記憶するメモリ５１と、液晶表示装置２１の回転角度を検出する角度センサ７１と、角度センサ７１の角度検出値７３に応じて複数の駆動電圧値６１から一つを選択する制御部（ＣＰＵ）７５とを基本構成として備えている。
【００３７】
ＣＰＵ７５はメモリ５１、角度センサ７１と接続されている。角度センサ７１より液晶表示装置２１の回転角θ０が、角度検出値７３としてＣＰＵ７５に通知される。ＣＰＵ７５はメモリ５１の駆動電圧に関するレジスタにアクセスし角度θ０に対応する駆動電圧値６１を呼び出し、ドライバ５９にその駆動電圧値６１を設定する。ドライバ５９はこの設定値に基づく画像信号６３で液晶表示装置２１を駆動する。
なお、図６中、ＶＤＤは、正電源電圧を表す。
【００３８】
図７は視野角の範囲外から液晶表示装置を見た時の駆動電圧を調整しない場合を（ａ）に、調整した場合を（ｂ）に表した説明図である。
図８に記載される７方向から液晶表示装置２１を見た時、駆動電圧を調整しない場合、図７（ａ）に示すように表示は黒く潰れる。
【００３９】
一方、ＣＰＵ７５が角度検出値７３に基づき、最適な駆動電圧値６１を設定し、駆動電圧を調整することで、液晶分子のチルト角が変更される。これにより、バックライトからの光の透過率が変化して、コントラストが調整され、図７（ｂ）に示すように表示が白くなり、視認性が改善されることになる。
【００４０】
したがって、この携帯電話機３００によれば、液晶表示装置２１が回転機構２５を介して回転傾斜されると、その傾斜角度が角度センサ７１によって検出され、ＣＰＵ７５がこの角度検出値７３に応じた最適な駆動電圧値６１で液晶表示装置２１を駆動制御し、その傾斜角度における最適な視野角で液晶表示装置２１を表示させることができる。この結果、ユーザーの携帯電話機３００の持ち方が変化しても、常に最適な視認性を保持し続けることができる。
【図面の簡単な説明】
【００４１】
【図１】第１実施形態による携帯端末の回転機構例を（ａ）（ｂ）に表した正面図である。
【図２】図１（ａ）に示した回転機構の各部分を（ａ）（ｂ）（ｃ）（ｄ）で表した説明図である。
【図３】図１（ａ）に示した液晶表示装置が回転角θ1（液晶表示装置の視野角を上２０°、下７０°とした場合）で傾いた時の説明図である。
【図４】携帯電話機の操作部で液晶表示装置の駆動電圧を制御する回路を表したブロック図である。
【図５】液晶表示装置を携帯電話機に付属するカメラ撮像部のファインダーとして使用する場合のユーザーの姿勢を表す説明図である。
【図６】角度センサーからの情報に基づき液晶表示装置の駆動電圧を制御する回路を表したブロック図である。
【図７】視野角の範囲外から液晶表示装置を見た時の駆動電圧を調整しない場合を（ａ）調整した場合を（ｂ）に表した説明図である。
【図８】視野角の説明図である。
【図９】（ａ）にストレート型の携帯電話機、（ｂ）に折りたたみ型の携帯電話機、（ｃ）に２軸回転機構型の携帯電話機を表した外観図である。
【符号の説明】
【００４２】
２１  液晶表示装置
２５  回転機構
２７  筺体
５１  メモリ（記憶部）
５３  入力キー（操作部）
５７、７５  ＣＰＵ（制御部）
６１  駆動電圧値
７１  角度センサ
１００、２００、３００  携帯電話機（携帯端末）
【図１】
2006165668.tif 000003
【図２】
2006165668.tif 000004
【図３】
2006165668.tif 000005
【図４】
2006165668.tif 000006
【図５】
2006165668.tif 000007
【図６】
2006165668.tif 000008
【図７】
2006165668.tif 000009
【図８】
2006165668.tif 000010
【図９】
2006165668.tif 000011